(57)【要約】【課題】  監視操作装置の機種が異なる場合でも、各プラント機器に対する制御データを一元管理できるようにして、データ管理操作を行う操作者の負担を軽減したプラント監視制御システムを提供する。【解決手段】  各プラント機器４の操作量の設定操作を行う複数台の監視操作装置１Ａ，１Ｂと、各プラント機器４を制御するプラント制御装置２とがそれぞれ通信ネットワーク３Ａ，３Ｂで接続されており、プラント制御装置２は、各プラント機器４の操作量と各機器識別用のタグ名とを対応付けた制御データを保存するとともに、この制御データが監視操作装置１Ａ，１Ｂで変更された場合には変更後の制御データで元の制御データを更新する制御データ管理部２２を備えている。【選択図】        図１
2007026122.tif 000002
【特許請求の範囲】
【請求項１】
各種のプラント機器を制御するプラント制御装置と、上記各プラント機器の制御状態を監視するとともに、上記各プラント制御装置に対してプラント機器の操作量の設定操作を行う複数台の監視操作装置とを備え、上記プラント制御装置および監視操作装置がそれぞれ通信ネットワークで接続されているプラント監視制御システムにおいて、
上記プラント制御装置は、各プラント機器の操作量と各機器識別用のタグ名とを対応付けた制御データを保存するとともに、この制御データが上記監視操作装置で変更された場合には変更後の制御データで元の制御データを更新する制御データ管理手段を備え、この制御データ管理手段で上記制御データを一元管理することを特徴とするプラント監視制御システム。
【請求項２】
各種のプラント機器を制御するプラント制御装置と、上記各プラント機器の制御状態を監視するとともに、上記各プラント制御装置に対してプラント機器の操作量の設定操作を行う複数台の監視操作装置とを備え、上記プラント制御装置および監視操作装置がそれぞれ通信ネットワークで接続されているプラント監視制御システムにおいて、
上記通信ネットワークには、上記プラント制御装置および監視操作装置の間でアクセスを行うＷＥＢサーバが接続されており、このＷＥＢサーバは、各プラント機器の操作量と各機器識別用のタグ名とを対応付けた制御データを保存するとともに、この制御データが上記監視操作装置で変更された場合には変更後の制御データで元の制御データを更新する制御データ管理手段を備え、この制御データ管理手段で上記制御データを一元管理するとともに、更新後の制御データを上記プラント制御装置に対して送信することを特徴とするプラント監視制御システム。
【請求項３】
上記制御データ管理手段は、上記制御データが登録された記憶手段と、この記憶手段に記憶されている上記制御データを上記監視操作装置からの要請に応じて当該装置に向けて送信するとともに、上記監視操作装置で上記プラント機器の操作量が変更された場合に送信されてくる変更後の制御データを受信する通信手段と、この通信手段で受信して得られた変更後の制御データによって上記記憶手段に記憶されている元の各プラント機器の操作量を更新するデータ更新手段と、を含むことを特徴とする請求項１または請求項２に記載のプラント監視制御システム。
【請求項４】
上記データ更新手段で更新された後の制御データと更新前の制御データとを比較して、当該制御データの更新の有無に応じた履歴データをリスト形式で上記記憶手段に登録する履歴管理手段を備えることを特徴とする請求項３記載のプラント監視制御システム。
【発明の詳細な説明】
【技術分野】
【０００１】
本発明は、発電プラント、原子力プラント等の各種のプラントの監視制御を行うプラント監視制御システムに関するものである。
【背景技術】
【０００２】
従来のプラント監視制御システムにおいては、各種のプラント機器を予め設定された操作量に基づいて制御するプラント制御装置と、このプラント制御装置による各プラント機器の制御状態を監視するとともに、プラント制御装置に対してプラント機器の操作量の設定操作を行う複数台の監視操作装置とを備え、これらのプラント制御装置および監視操作装置を通信ネットワークで接続することにより、分散型の制御システムを構成したものがある。
【０００３】
このようなプラント監視制御システムにおいて、上記のプラント制御装置は、各プラント機器に予め設定された操作量（ＰＩＤ制御の目標値や基準閾値など）に基づいて当該機器を制御しているが、この操作量は画一的なものではなく、プラントの稼働状況などに応じて適宜変更することが必要となる。このような操作量の変更は、監視操作装置からプラント制御装置に対して操作量を設定することにより行われる。
【０００４】
ところで、プラント制御装置の監視、操作を行う監視操作装置は、機種毎にアーキテクチャが異なる場合がある。すなわち、監視操作装置は、製造メーカの違いや、同じ製造メーカのものでも新旧の機種の違い等によって、監視制御プログラムやアドレス体系が異なることがある。また、監視操作装置とプラント機器との間を接続する通信ネットワークの構成についても、監視操作装置の機種の違いに応じて異なる場合がある。
【０００５】
このように、監視操作装置の機種の違いによって監視制御プログラムやアドレス体系が異なる場合であっても、各プラント機器を実際に制御するための操作量やプラント機器を対応付けるタグ名などは共通している。したがって、監視操作装置の機種が異なる場合であっても、プラント機器の操作量を変更する必要があるときには、プラント機器を識別するためのタグ名を指定して各プラント機器の操作量を変更することが可能である。
なお、以下では各プラント機器の操作量と各機器識別用のタグ名とを対応付けたデータを制御データと称する。
【０００６】
しかしながら、従来は、監視操作装置の機種が異なる場合には、その通信ネットワークを含めてシステム体系がそれぞれ独立しているため、いずれのプラント機器がどのような操作量に変更されたのかを全体的に把握して一元管理することが難しい。すなわち、従来では、機種の異なる監視操作装置によってプラント機器の操作量を変更した場合、各々の監視操作装置のシステム体系が独立していて相互に変更情報を交換することができないため、操作量が実際にどのように変更されたのかを各監視操作装置で十分に把握することができない。
【０００７】
この対策のため、従来技術では、機種の異なる各々の監視操作装置において、各プラント機器に対する操作量を変更したときには、操作者がその変更した操作量および各機器識別用のタグ名とを対応付けて用紙にプリントアウトし、各監視操作装置ごとにその内容を比較することで、どのようなプラント機器がどのような操作量に変更されたのかを把握するようにしている。
【０００８】
なお、他の従来技術では、各々の監視操作装置においてプラント制御装置を監視制御するためのデータベースを常に共通に保持することで、各データベースを一元管理できるようにしたものも提案されている（例えば、特許文献１，２参照）。
【０００９】
【特許文献１】特開２００１−４２９２８号公報
【特許文献２】特開平６−６７９６２号公報
【発明の開示】
【発明が解決しようとする課題】
【００１０】
上述のように、従来のプラント監視制御システムでは、各々の監視操作装置の機種が異なるためにシステム体系が独立しているときには、プラント機器の操作量が実際にどのように変更されたのかを各のプラント制御装置側で十分に把握することが難しく、このため、操作者は、頻繁に各々の監視操作装置の情報を用紙にプリントアウトして相互に比較することで、操作量の変更の有無や変更内容を把握している。
【００１１】
このように、各監視操作装置によるプラント機器の操作量の変更内容を一元管理するためには、常に人手によって頻繁に操作量の変更の有無、および操作量の変更内容を把握せねばならず、プラント機器の数が多くなるほど操作者の負担が大きくなって時間と労力とを要し、プラントシステム全体の監視、制御を実行する上での大きな障害になっていた。
【００１２】
また、上記の特許文献１，２に記載されている従来技術の場合、監視操作装置の機種が同じでアーキテクチャも共通していることを前提としているので、各プラント制御装置の監視制御を行うためのデータベースを共通に保持することで一元管理を行うことが可能である。しかし、監視操作装置の機種が異なる場合には、通信ネットワークを含めてシステム体系がそれぞれ独立しているため、監視操作装置側で共通のデータベースを保持することができず、したがって、データベースを一元管理することができない。
【００１３】
本発明は、上記の課題を解決するためになされたもので、プラント制御装置の監視、操作を行う監視操作装置が機種によって異なる場合でも、プラント制御装置側で各プラント機器に対する制御データの一元管理を行うことにより、制御データの管理を行う際の操作者の負担を大幅に軽減したプラント監視制御システムを提供することを目的とする。
【課題を解決するための手段】
【００１４】
上記の目的を達成するために、本発明は、各種のプラント機器を制御するプラント制御装置と、上記各プラント機器の制御状態を監視するとともに、上記各プラント制御装置に対してプラント機器の操作量の設定を行う複数台の監視操作装置とを備え、上記プラント制御装置および監視操作装置がそれぞれ通信ネットワークで接続されているプラント監視制御システムにおいて、次の構成を採用している。
【００１５】
すなわち、本発明において、上記プラント制御装置は、各プラント機器の操作量と各機器識別用のタグ名とを対応付けた制御データを保存するとともに、この制御データが上記監視操作装置で変更された場合には変更後の制御データで元の制御データを更新する制御データ管理手段を備え、このデータ管理手段で上記制御データを一元管理することを特徴としている。
【発明の効果】
【００１６】
本発明によれば、各監視操作装置によって操作量が変更されたときには、これに応じてプラント制御装置に設けた制御データ管理手段が管理する制御データも更新される。そのため、監視操作装置の機種が異なるために通信ネットワークを含めてシステム体系がそれぞれ独立している場合でも、各プラント制御装置において自己が担当する各プラント機器の制御データを全て一元管理することができる。これにより、従来のように各監視操作装置による操作量の変更の有無、および操作量の変更内容を人手によって頻繁にチェックして把握する必要がなくなり、制御データの管理作業を行う操作者の手間と労力を大幅に削減することが可能になる。
【発明を実施するための最良の形態】
【００１７】
実施の形態１．
図１は本発明の実施の形態１におけるプラント監視制御システムの全体を示す構成図、図２は同システムの監視操作装置の構成図、図３は同システムのプラント制御装置の構成図である。
【００１８】
この実施の形態１のプラント監視制御システムは、互いに機種が異なる複数の監視操作装置１Ａ，１Ｂとプラント制御装置２とを備え、これらの装置１Ａ，１Ｂ，２がデータの授受を行うための通信ネットワーク３Ａ，３Ｂを介して互いに接続されている。また、各プラント制御装置２には自己が分担するアクチュエータやセンサ等の各種のプラント機器４が接続されている。
【００１９】
なお、ここでは、説明の便宜上、監視操作装置１Ａ，１Ｂは２台、プラント制御装置２は１台、各プラント制御装置２に付属するプラント機器４は６台あるとしている。しかし、このような台数に特別な制約はなく、さらに多くの台数があっても差し支えない。
【００２０】
この実施の形態１において、各監視操作装置１Ａ，１Ｂは互いに機種が異なっているので、監視制御プログラムやアドレス体系などのアーキテクチャが相違するとともに、各監視操作装置１Ａ，１Ｂとプラント制御装置２との間を接続する通信ネットワーク３Ａ，３Ｂの構成も互いに異なっていてそれぞれ独立したシステム体系となっている。
【００２１】
各監視操作装置１Ａ，１Ｂは、プラント制御装置２で収集されるプラント機器４からのプロセスデータ（温度，速度，スイッチなどの状態）を監視したり、各プラント制御装置２に対して各プラント機器４の操作量の設定操作を行うもので、互いに機種は異なるものの、図２に示すように、データの入出力を行うための入出力機器１１、各種のデータや制御プログラムを記憶するメモリ部１２、および通信ネットワーク３Ａまたは３Ｂを介してデータを送受信する送受信部１３、および各部１１〜１３を制御する演算制御部１４を備えている。なお、入出力機器１１は、プラント機器４の操作量の設定入力などの操作を行うためのキーボードやマウス、各プラント制御装置２から得られるプロセスデータ等を出力するディスプレイやプリンタなどを有している。
【００２２】
一方、各プラント制御装置２は、図３に示すように、プラント機器制御部２１と制御データ管理部２２とを備えている。
プラント機器制御部２１は、予め設定された操作量に基づいて各プラント機器４を制御するとともに、各プラント機器４から得られるプロセスデータを採取するもので、プラント機器４の各種データや制御プログラムを記憶するメモリ部２１１、プラント機器４に接続されたインターフェース２２２、およびメモリ部２１１に格納された制御プログラムおよび制御データ管理部２２から与えられる制御データ（操作量）に基づいてプラント機器４の制御演算を実行するプラント制御演算処理部２２３を有する。
【００２３】
制御データ管理部２２は、各監視操作装置１Ａ，１Ｂで変更される制御データを一元管理するもので、各プラント機器４の操作量と各機器識別用のタグ名とを対応付けた制御データを格納するメモリ部２２１、各通信ネットワーク３Ａ，３Ｂを介して監視操作装置１Ａ，１Ｂとの間でそれぞれデータの送受信を行う送受信部２２２，２２３、およびメモリ部２２１に対するアクセス制御やデータ管理制御を行うとともに、各送受信部２２２，２２３の動作を制御するデータ管理演算処理部２２４を有する。
【００２４】
そして、この実施の形態１では、制御データ管理部２２が特許請求の範囲における制御データ管理手段に、メモリ部２２１が記憶手段に、各送受信部２２２，２２３が通信手段に、データ管理演算処理部２２４がデータ更新手段に、それぞれ対応している。
【００２５】
次に、上記構成のプラント監視制御システムにおける制御データの管理処理動作について、図４に示すフローチャートおよび図５に示す説明図を参照して説明する。なお、ここでは説明の便宜上、プラント制御装置２において管理対象となる制御データをマスタ制御データと称し、各監視操作装置１Ａ，１Ｂにおいてプラント制御装置２から送信されたマスタ制御データがメモリ部１２にコピーされたものを単に制御データと称することとする。また、符号Ｓは各処理ステップを意味する。
【００２６】
いま、第１の監視操作装置１Ａにおいてプラント機器４の操作量の変更を必要とした場合、操作者が入出力機器１１から制御演算部１４に対してマスタ制御データの変更要求の指令を与えることにより、制御演算部１４は、送受信部１３を介してプラント制御装置２に向けてマスタ制御データの変更要求を送信する（Ｓ２１）。
【００２７】
プラント制御装置２のデータ管理演算処理部２２４は、常時、各監視操作装置１Ａ，１Ｂからのマスタ制御データの変更要求があるか否かを監視している（Ｓ１１）。そして、データ管理演算処理部２２４が、例えば第１の監視操作装置１Ａから第１の通信ネットワーク３Ａを経由して送られてくるマスタ制御データの変更要求を送受信部２２２を介して受信すると（Ｓ１２）、マスタ制御データの変更操作中であるか否かを示すフラグが“０”かどうかを判断する（Ｓ１３）。
【００２８】
フラグが“０”ならば、マスタ制御データの変更操作がいずれの監視操作装置１Ａ，１Ｂによっても現在行われてないことになるので、データ管理演算処理部２２４は、マスタ制御データの変更操作中であることを示すためにフラグを“１”にセットした後、メモリ部２２１に登録されているマスタ制御データを送受信部２２２から第１の監視操作装置１Ａに向けて送信する（Ｓ１４）。
【００２９】
第１の監視操作装置１Ａの制御演算部１４は、第１の通信ネットワーク３Ａを経由して送られてくるマスタ制御データを送受信部１３を介して受信すると（Ｓ２２）、このマスタ制御データを制御データとしてメモリ部１２に保管する。そして、操作者による入出力機器１１の操作に応じて、制御演算部１４はメモリ部１２内の制御データを随時変更する（Ｓ２３）。
【００３０】
一例として、図５（ａ）に示すように、各プラント機器４のタグ名Ｘ１〜Ｘ６に対応する操作量がＹ１〜Ｙ６に設定されているような制御データがプラント制御装置２から送られてきた場合に、例えばタグ名Ｘ２，Ｘ５に対応する操作量Ｙ２，Ｙ５を変更する必要があるときには、これらの操作量Ｙ２，Ｙ５を＊Ｙ２，＊Ｙ５に変更する。なお、この場合、各操作量に予め優先度を設定しておき、例えばタグ名Ｘ２に対応する操作量Ｙ２の優先度が＊Ｙ２よりも高いときには＊Ｙ２への変更を不可とするようにしてもよい。
【００３１】
この第１の監視操作装置１Ａにおいて制御データの変更中に、第２の監視操作装置１Ｂからプラント制御装置２に対してマスタ制御データの変更要求が送信されてきた場合（Ｓ３１）、プラント制御装置２のデータ管理演算処理部２２４は、この第２の監視操作装置１Ｂからのマスタ制御データの変更要求を受信することになるが（Ｓ１２）、このとき、マスタ制御データの変更操作中であることを示すフラグは既に“１”になっているので（Ｓ１３）、データ管理演算処理部２２４は、第２の監視操作装置１Ｂに対して「変更不可」のデータを送信し（Ｓ１５）、マスタ制御データの変更要求を拒否する。
【００３２】
また、第２の監視操作装置１Ｂの制御演算部１４は、この「変更不可」のデータを受信すると、図外のディスプレイに「変更不可」の通知を表示する（Ｓ３２）。これにより、他の監視操作装置１Ｂを操作している操作者は、第１の監視操作装置１Ａにおいて制御データが現在変更されている途中であることを認識することができる。
【００３３】
一方、第１の監視操作装置１Ａにおいて操作量の変更作業が終了した時点で、操作者が入出力機器１１から変更後の制御データの送信指令を与えると、これに応じて制御演算部１４は、メモリ部１２から変更後の制御データを読み出し、この制御データを送受信部１３からプラント制御装置２に向けて送信する。また、制御演算部１４は、制御データの送信後、メモリ部１２に記憶されている制御データを消去する（Ｓ２４）。
【００３４】
プラント制御装置２のデータ管理演算処理部２２４は、第１の監視操作装置１Ａから第１の通信ネットワーク３Ａを経由して送信されてくる変更後の制御データを送受信部２２２を介して受信すると（Ｓ１６）、この変更後の制御データによってメモリ部２２１に登録されているマスタ制御データを更新する。さらに、制御データの変更操作が終了したことを示すためにフラグを“０”にリセットする（Ｓ１７）。
【００３５】
したがって、この段階においてメモリ部２２１に登録されているマスタ制御データは、図５（ｂ）に示すように、各プラント機器４のタグ名Ｘ１〜Ｘ６の内、タグ名Ｘ２，Ｘ５に対応する操作量が＊Ｙ２，＊Ｙ５に変更された状態となっている。
【００３６】
一方、第２の監視操作装置１Ｂからプラント制御装置２に対してマスタ制御データの変更要求が送信されてきた時点で、既に第１の監視操作装置１Ａによる操作量の変更操作が終了している場合、マスタ制御データの変更操作中であるか否かを示すフラグが既に“０”になっているので、プラント制御装置２のデータ管理演算処理部２２４は、フラグを“１”にセットした後、メモリ部２２１に登録されているマスタ制御データを送受信部２２３から第２の監視操作装置１Ｂに向けて送信する（Ｓ１４）。以降の動作は、第１の監視操作装置１Ａによるマスタ制御データの変更動作の場合と基本的に同じである。
【００３７】
すなわち、第２の監視操作装置１Ｂの制御演算部１４は、このマスタ制御データを送受信部１３を介して受信すると（Ｓ２２）、このマスタ制御データを制御データとしてメモリ部１２に保管する。そして、操作者による入出力機器１１の操作に応じて、制御演算部１４はメモリ部１２内の制御データを随時変更する（Ｓ２３）。
【００３８】
一例として、図５（ｂ）に示すように、各プラント機器４のタグ名Ｘ１〜Ｘ６に対応する操作量がＹ１，＊Ｙ２，Ｙ３，Ｙ４，＊Ｙ５，Ｙ６に設定された制御データがプラント制御装置２から送られてきた場合に、例えばタグ名Ｘ１，Ｘ５に対応する操作量Ｙ１，＊Ｙ５を変更する必要があるときには、これらの操作量Ｙ１，＊Ｙ５を＊Ｙ１，＊＊Ｙ５に変更する。なお、この場合も各操作量に予め優先度を設定しておき、タグ名Ｘ５に対応する元の操作量＊Ｙ５の優先度が＊＊Ｙ５よりも高いときには＊＊Ｙ５への変更を不可とするようにしてもよい。
【００３９】
また、その際、第１の監視操作装置１Ａによってプラント機器４の操作量が既に変更されている場合（この例では既に＊Ｙ２，＊Ｙ５に変更）、第２の監視操作装置１Ｂにおいて、操作者は入出力機器１１を操作してメモリ部１２の制御データの内容を表示することで、その操作量の変更内容が分かるので、プラント機器４の操作量を変更する際の指針を得ることができる。すなわち、この例では、第１の監視操作装置１Ａによって変更されたタグ名Ｘ１，Ｘ５の操作量が＊Ｙ２，＊Ｙ５になっていることが分かるので、この第２の監視操作装置１Ｂでプラント機器４の操作量を変更する際の目安とすることができる。
【００４０】
第２の監視操作装置１Ｂにおいて操作量の変更作業が終了した時点で、操作者が入出力機器１１から変更後の制御データの送信指令を与えると、これに応じて制御演算部１４は、メモリ部１２から変更後の制御データを読み出し、この制御データを送受信部１３からプラント制御装置２に向けて送信する。また、制御演算部３４は、制御データの送信後、メモリ部１２に記憶されている制御データを消去する（Ｓ２４）。
【００４１】
プラント制御装置２のデータ管理演算処理部２２４は、第２の監視操作装置１Ｂから第２の通信ネットワーク３Ｂを経由して送信されてくる変更後の制御データを送受信部２２３を介して受信すると（Ｓ１６）、この変更後の制御データによってメモリ部２２１に登録されているマスタ制御データを更新する。さらに、制御データの変更操作中の有無を示すフラグを“０”にリセットする（Ｓ１７）。
【００４２】
したがって、この段階においてプラント制御装置２のメモリ部２２１に登録されているマスタ制御データは、図５（ｂ）に示すように、各プラント機器４のタグ名Ｘ１〜Ｘ６の内、タグ名Ｘ１，Ｘ２，Ｘ５に対応する操作量が＊Ｙ１，＊Ｙ２，＊＊Ｙ５に変更された状態となる。
【００４３】
このように、各監視操作装置１Ａ，１Ｂによって操作量が変更されたときには、プラント制御装置２に設けた制御データ管理部２２においてマスタ制御データが更新されるので、監視操作装置１Ａ，１Ｂの機種が異なるために通信ネットワーク３Ａ，３Ｂを含めてシステム体系がそれぞれ独立している場合でも、プラント制御装置２において自己が担当する各プラント機器４のマスタ制御データを全て一元管理することができる。
【００４４】
なお、プラント制御装置２のプラント機器制御部２１においては、プラント機器演算処理部２２３がメモリ部２１１に登録されている制御プログラム、および制御データ管理部２２で管理されているマスタ制御データ（操作量）に基づいて各プラント機器４の制御を行ない、また、各プラント機器４で得られるプロセスデータを制御データ管理部２２および各通信ネットワーク３Ａ，３Ｂを介して各監視操作装置１Ａ，１Ｂに送信する。
【００４５】
以上のように、この実施の形態１では、監視操作装置１Ａ，１Ｂ側でプラント機器４の制御データを一元管理するのではなく、各プラント制御装置２側で自己が担当する各プラント機器４に対する制御データの一元管理を行うので、監視操作装置１Ａ，１Ｂの機種が異なるためにシステム体系が独立している場合でも、従来のように各監視操作装置１Ａ，１Ｂによる操作量の変更の有無、および操作量の変更内容を人手によって頻繁にチェックして把握する必要がなくなる。このため、制御データの管理作業を行う操作者の負担を大幅に軽減することが可能になる。
【００４６】
実施の形態２．
図６はこの実施の形態２におけるプラント監視制御システムの全体を示す構成図、図７は同システムのプラント制御装置の構成図、図８は同システムのＷＥＢサーバの構成図であり、図１ないし図３に示した実施の形態１と対応する構成部分には同一の符号を付す。
【００４７】
この実施の形態２は、監視操作装置１Ａ，１Ｂおよびプラント制御装置２の間でアクセスを行うＷＥＢサーバ５を備え、このＷＥＢサーバ５が通信ネットワーク３Ａ，３Ｂに共通に接続されている。
【００４８】
上記の実施の形態１では、プラント制御装置２内にプラント機器制御部２１と制御データ管理部２２の双方を設けることで、プラント機器４の制御および制御データの一元管理の双方の機能を果たすようにしているが、この実施の形態２では、プラント機器４の制御やプロセスデータの収集はプラント制御装置２が担当し、また、各監視操作装置１Ａ，１Ｂで変更される制御データの一元管理はＷＥＢサーバ５が担当するようにしている。
【００４９】
したがって、プラント制御装置２は、基本的に実施の形態１におけるプラント機器制御部２１の機能を果たすもので、図７に示すように、プラント機器４の各種データや制御プログラムを記憶するメモリ部２１１、プラント機器４に接続されたインターフェース２２２、各通信ネットワーク３Ａ，３Ｂを介して監視操作装置１Ａ，１ＢならびにＷＥＢサーバ５との間でそれぞれデータの送受信を行う送受信部２２５，２２６、およびメモリ部２１１の制御プログラムおよびＷＥＢサーバ５から与えられる制御データ（操作量）に基づいてプラント機器４の制御演算を実行するプラント制御演算処理部２２３を有する。
【００５０】
一方、ＷＥＢサーバ５は、基本的に実施の形態１における制御データ管理部２２の機能を果たすもので、図８に示すように、各プラント機器４の操作量と各機器識別用のタグ名とを対応付けた制御データを格納するメモリ部２２１、各通信ネットワーク３Ａ，３Ｂを介して監視操作装置１Ａ，１Ｂならびにプラント制御装置２との間でそれぞれデータの送受信を行う送受信部２２２，２２３、およびメモリ部２２１に対するアクセス制御やデータ管理制御を行うとともに、各送受信部２２２，２２３の動作を制御するデータ管理演算処理部２２４を有する。
【００５１】
その他の構成については図１ないし図３に示した実施の形態１の場合と同様であるから、ここでは詳しい説明は省略する。
【００５２】
次に、上記構成のプラント監視制御システムにおける制御データの管理処理動作について、図９に示すフローチャートを参照して説明する。なお、ここでは、便宜上、ＷＥＢサーバ５において管理対象となる制御データをマスタ制御データと称する。
【００５３】
この実施の形態２においては、ＷＥＢサーバ５は基本的に実施の形態１におけるプラント制御装置２の制御データ管理部２２の機能を果たすので、実施の形態１におけるプラント制御装置２の制御データ管理部２２の動作が、そのままＷＥＢサーバ５の動作になっている。したがって、図９のフローチャートで示したＷＥＢサーバ５の動作において、図４のフローチャートで示したプラント制御装置２の動作と対応する箇所については、同一の処理符号を付して詳しい説明は省略する。
【００５４】
ただし、この実施の形態２においては、ＷＥＢサーバ５においてマスタ制御データの更新がなされた場合、この更新後のマスタ制御データを通信ネットワーク３Ａまたは３Ｂを介してプラント制御装置２に送信するので（Ｓ１８）、プラント制御装置２は、この送信されてきたマスタ制御データをメモリ部２１１に登録する。
【００５５】
そして、プラント制御装置２は、メモリ部２１１に予め登録されている制御プログラムおよびＷＥＢサーバ５から送られてきたマスタ制御データに基づいて各プラント機器４の制御を行ない、また、各プラント機器４で得られるプロセスデータを各送受信部２２５，２２６から各通信ネットワーク３Ａ，３Ｂを介して各監視操作装置１Ａ，１Ｂに送信する。
【００５６】
このように、この実施の形態２では、制御データの一元管理をＷＥＢサーバ５が専ら担当するので、プラント制御装置２は、主としてプラント機器４の制御を行い、監視操作装置による操作量の変更があったときには、変更後のマスタ制御データをＷＥＢサーバ５から受け取るだけで済む。このため、定周期でプラント制御を実行することを主目的とするプラント制御装置２の処理負担を軽減することができる。
その他の作用効果は、実施の形態１の場合と同様であるから、ここでは詳しい説明は省略する。
【００５７】
なお、上記の実施の形態１，２では、監視操作装置１Ａ，１Ｂで制御データが変更された場合、これに応じて、プラント制御装置２あるいはＷＥＢサーバ５が備えるデータ管理演算処理部２２４は、メモリ部２２１に登録されているマスタ制御データを、変更された制御データによってそのまま更新するようにしているが、データ管理演算処理部２２４を履歴管理手段として構成し、マスタ制御データの更新に際して、更新前のマスタ制御データと監視操作装置１Ａ，１Ｂで変更された制御データとを比較し、両データが相違する場合には、いずれのタグ名の操作量が変更されたがが分かるように、図１０に示すような履歴データをリスト形式でメモリ部２２１に登録するようにしてもよい。
【００５８】
このようにしておけば、原子力プラントのように、データの信頼性やデータの変更管理の確実性が要求される場合には、このメモリ部２２１に保存された履歴データをプリントアウトなどして取り出すことで、どのように制御データが変更されたかを時系列で把握することができるので、管理業務を一層効率的に行うことができる。
【図面の簡単な説明】
【００５９】
【図１】本発明の実施の形態１におけるプラント監視制御システムの全体を示す構成図である。
【図２】同システムにおける監視操作装置の構成図である。
【図３】同システムにおけるプラント制御装置の構成図である。
【図４】同システムにおける制御データの管理処理動作の説明に供するフローチャートである。
【図５】同システムにおける制御データの管理処理動作の説明図である。
【図６】本発明の実施の形態２におけるプラント監視制御システムの全体を示す構成図である。
【図７】同システムにおけるプラント制御装置の構成図である。
【図８】同システムにおけるＷＥＢサーバの構成図である。
【図９】同システムにおける制御データの管理処理動作の説明に供するフローチャートである。
【図１０】リスト形式で表現された履歴データの一例を示す説明図である。
【符号の説明】
【００６０】
１Ａ  監視操作装置、１Ｂ  監視操作装置、２  プラント制御装置、
３Ａ  通信ネットワーク、３Ｂ  通信ネットワーク、４  プラント機器、
５  ＷＥＢサーバ、２２  制御データ管理部（制御データ管理手段）、
２２１  メモリ部（記憶手段）、２２２  送受信部（通信手段）、
２２３  送受信部（通信手段）、２２４  データ管理演算処理部（データ更新手段）。
【図１】
2007026122.tif 000003
【図２】
2007026122.tif 000004
【図３】
2007026122.tif 000005
【図４】
2007026122.tif 000006
【図５】
2007026122.tif 000007
【図６】
2007026122.tif 000008
【図７】
2007026122.tif 000009
【図８】
2007026122.tif 000010
【図９】
2007026122.tif 000011
【図１０】
2007026122.tif 000012